(57)【要約】【課題】  安定的に放電を生起させることができる空気調和機を提供する。【解決手段】  空気清浄機は、室内へと吹き出される空気が通る空気流路を有する本体ケーシングと、空気流路を流れる空気流を生成する送風ファンと、空気流路を流れる空気を清浄化する空気清浄ユニットとを備える。そして、空気清浄ユニットは、複数のイオン化線と、対向電極と、第１中間支持部材と、取付枠６０とを有する。複数のイオン化線は、空気流中に配置され、放電電圧が印可されることによって放電する。対向電極は、イオン化線に近接して配置される。第１中間支持部材は、イオン化線が取り付けられる複数の第１取付部を有する。取付枠６０は、第１中間支持部材を支持する１または複数の第１支持部６０ａと、対向電極を支持する１または複数の第２支持部６０ｂとを有する。そして、第１支持部６０ａの数は、第１取付部の数よりも少ない。【選択図】      図９
2007061668.tif 000002
【特許請求の範囲】
【請求項１】
前記室内へと吹き出される空気が通る空気流路を有する本体ケーシング（６）と、
前記空気流路を流れる空気流を生成する送風装置（３１）と、
前記空気流路を流れる空気を清浄化する空気清浄部（４０）と、
を備え、
前記空気清浄部（４０）は、
前記空気流中に配置され放電電圧が印可されることによって放電する複数の線状電極部（６２）と、
前記線状電極部（６２）に近接して配置される対向電極（６１）と、
前記線状電極部（６２）が取り付けられる複数の第１取付部（２３ｅ）を有する第１中間支持部材（２３）と、
前記第１中間支持部材（２３）を支持する１または複数の第１支持部（６０ａ）と、前記対向電極（６１）を支持する１または複数の第２支持部（６０ｂ）とを有する支持体（６０）と、
を有し、
前記第１支持部（６０ａ）の数は、前記第１取付部（２３ｅ）の数よりも少ない、
空気調和機（１）。
【請求項２】
前記第１支持部（６０ａ）は突起状の形状を有する、
請求項１に記載の空気調和機（１）。
【請求項３】
前記第１支持部（６０ａ）はボスであり、
前記第１中間支持部材（２３）は第１支持部（６０ａ）に螺子止めされる、
請求項２に記載の空気調和機（１）。
【請求項４】
前記第２支持部（６０ｂ）は、突起状の形状を有する、
請求項１から３のいずれかに記載の空気調和機（１）。
【請求項５】
前記支持体（６０）は、複数の前記第２支持部（６０ｂ）を有し、
前記第１支持部（６０ａ）に最も近い２つの前記第２支持部（６０ｂ）は、前記第１支持部（６０ａ）から等距離に位置する、
請求項４に記載の空気調和機（１）。
【請求項６】
前記第１取付部（２３ｅ）には直線状の前記線状電極部（６２）の一端が取り付けられ、
前記線状電極部（６２）の他端が取り付けられる複数の第２取付部（２７ｄ）を有し、前記第１中間支持部材（２３）との間に前記空気流路を挟んで配置される第２中間支持部材（２４）をさらに備え、
前記支持体（６０）は、前記第２中間支持部材（２４）を支持する１または複数の第３支持部（６０ｃ）をさらに有し、
前記第３支持部（６０ｃ）の数は、前記第２取付部（２７ｄ）の数よりも少ない、
請求項１から５のいずれかに記載の空気調和機（１）。
【請求項７】
前記第３支持部（６０ｃ）は、突起状の形状を有する、
請求項６に記載の空気調和機（１）。
【請求項８】
前記第３支持部（６０ｃ）はボスであり、
前記第２中間支持部材（２４）は前記第３支持部（６０ｃ）に螺子止めされる、
請求項７に記載の空気調和機（１）。
【発明の詳細な説明】
【技術分野】
【０００１】
本発明は、空気調和機に関する。
【背景技術】
【０００２】
近年、電気集塵機能を有し室内から取り込んだ空気を清浄化することができる空気調和機が利用されている（特許文献１参照）。この空気調和機は、高圧電流が流される線状電極と、線状電極と対向して配置される対向電極と、樹脂等の絶縁性材料から形成され線状電極と対向電極とを支持する支持体と、線状電極および対向電極の下流側に配置されるフィルタとを備えている。この空気調和機では、まず、塵埃等の微粒子を含む空気が空気調和機内に取り込まれる。そして、線状電極と対向電極との間に放電電圧が印可されることにより、空気中に放電を生じさせる。これにより、空気中の微粒子に強い電荷がかけられ、微粒子が帯電する。帯電した微粒子は、微粒子が帯電した電荷に対して逆の電荷に帯電したフィルタに吸着される。これにより、空気調和機内に取り込まれた空気に含まれる微粒子を分離および除去することができる。
【特許文献１】特開２００３−３１４８４３号公報
【発明の開示】
【発明が解決しようとする課題】
【０００３】
しかし、上記のような空気調和機では、線状電極を支える支持体や対向電極に汚れが付着し易く、汚れによって線状電極と対向電極との間の絶縁が低下し易い。線状電極と対向電極との間の絶縁が低下すると、線状電極からの放電を安定的に生起させることが困難になる。
本発明の課題は、安定的に放電を生起させることができる空気調和機を提供することにある。
【課題を解決するための手段】
【０００４】
第１発明に係る空気調和機は、室内へと吹き出される空気が通る空気流路を有する本体ケーシングと、空気流路を流れる空気流を生成する送風装置と、空気流路を流れる空気を清浄化する空気清浄部とを備える。そして、空気清浄部は、複数の線状電極部と、対向電極と、第１中間支持部材と、支持体とを有する。複数の線状電極部は、空気流中に配置され、放電電圧が印可されることによって放電する。対向電極は、線状電極部に近接して配置される。第１中間支持部材は、線状電極部が取り付けられる複数の第１取付部を有する。支持体は、第１中間支持部材を支持する１または複数の第１支持部と、対向電極を支持する１または複数の第２支持部とを有する。そして、第１支持部の数は、第１取付部の数よりも少ない。
【０００５】
この空気調和機では、支持体は、線状電極部が取り付けられる第１中間支持部材と、対向電極とを支持している。そして、第１中間支持部材を支持する第１支持部の数が、線状電極部を支持する第１取付部よりも少ない。このため、支持体と第１中間支持部材との接触箇所が少なくなっている。これにより、支持体と第１中間支持部材との間の絶縁抵抗を増大させることができ、線状電極部と対向電極との間の絶縁性の低下を抑えることができる。よって、この空気調和機では、線状電極部と対向電極との間に安定的に放電を生起させることができる。
【０００６】
第２発明に係る空気調和機は、第１発明の空気調和機であって、第１支持部は突起状の形状を有する。
この空気調和機では、第１支持部が突起状の形状を有することにより、支持体と第１中間支持部材との接触面積を低減することができる。これにより、線状電極部と対向電極との間の絶縁性の低下をより抑えることができ、より安定的に放電を生起させることができる。
【０００７】
第３発明に係る空気調和機は、第２発明の空気調和機であって、第１支持部はボスであり、第１中間支持部材は第１支持部に螺子止めされる。
この空気調和機では、第１中間支持部材が、ボスである第１支持部に螺子止めされる。これにより、線状電極部と対向電極との間の絶縁性の低下をより抑えることができると共に、第１中間支持部材を支持体に強固に固定することができる。
【０００８】
第４発明に係る空気調和機は、第１発明から第３発明のいずれかの空気調和機であって、第２支持部は、突起状の形状を有する。
この空気調和機では、第２支持部が突起状の形状を有することにより、支持体と対向電極との接触面積を低減することができる。これにより、線状電極部と対向電極との間の絶縁性の低下をより抑えることができ、より安定的に放電を生起させることができる。
【０００９】
第５発明に係る空気調和機は、第４発明の空気調和機であって、支持体は、複数の第２支持部を有し、第１支持部に最も近い２つの第２支持部は、第１支持部から等距離に位置する。
この空気調和機では、第１支持部に最も近い２つの第２支持部が第１支持部から等距離に位置することにより、支持部と対向電極との接触箇所である第２支持部を支持体と第１中間支持部材との接触箇所である第１支持部から極力離して配置することができる。このため、第１支持部と第２支持部との間の絶縁抵抗を増大させることができ、線状電極部と対向電極との間の絶縁性の低下をより抑えることができる。これにより、この空気調和機では、より安定的に放電を生起させることができる。
【００１０】
第６発明に係る空気調和機は、第１発明から第５発明のいずれかの空気調和機であって、第１取付部には直線状の線状電極部の一端が取り付けられる。また、この空気調和機は、第２中間支持部材をさらに備える。第２中間支持部材は、線状電極部の他端が取り付けられる複数の第２取付部を有し、第１中間支持部材との間に空気流路を挟んで配置される。また、支持体は、第２中間支持部材を支持する１または複数の第３支持部をさらに有する。そして、第３支持部の数は、第２取付部の数よりも少ない。
【００１１】
この空気調和機では、第２中間支持部材を支持する第３支持部の数が、線状電極部の他端が取り付けられる第２取付部の数よりも少ない。このため、第２中間支持部材と支持体との間の絶縁抵抗を増大させることができ、線状電極部と対向電極との間の絶縁性の低下をより抑えることができる。
【００１２】
第７発明に係る空気調和機は、第６発明の空気調和機であって、第３支持部は、突起状の形状を有する。
この空気調和機では、第３支持部が突起状の形状を有することにより、支持体と第２中間支持部材との接触面積を低減することができる。これにより、線状電極部と対向電極との間の絶縁性の低下をより抑えることができ、より安定的に放電を生起させることができる。
【００１３】
第８発明に係る空気調和機は、第７発明の空気調和機であって、第３支持部はボスであり、第２中間支持部材は第３支持部に螺子止めされる。
この空気調和機では、第２中間支持部材が、ボスである第３支持部に螺子止めされる。これにより、線状電極部と対向電極との間の絶縁性の低下をより抑えることができると共に、第２中間支持部材を支持体に強固に固定することができる。
【発明の効果】
【００１４】
第１発明に係る空気調和機では、第１支持部の数が第１取付部よりも少ないため、支持体と第１中間支持部材との接触箇所が少なくなっている。これにより、線状電極部と対向電極との間の絶縁性の低下を抑えることができ、線状電極部と対向電極との間に安定的に放電を生起させることができる。
第２発明に係る空気調和機では、第１支持部が突起状の形状を有することにより、支持体と第１中間支持部材との接触面積を低減することができる。これにより、線状電極部と対向電極との間の絶縁性の低下をより抑えることができ、より安定的に放電を生起させることができる。
【００１５】
第３発明に係る空気調和機では、第１中間支持部材が、ボスである第１支持部に螺子止めされる。これにより、線状電極部と対向電極との間の絶縁性の低下をより抑えることができると共に、第１中間支持部材を支持体に強固に固定することができる。
第４発明に係る空気調和機では、第２支持部が突起状の形状を有することにより、支持体と対向電極との接触面積を低減することができる。これにより、線状電極部と対向電極との間の絶縁性の低下をより抑えることができ、より安定的に放電を生起させることができる。
【００１６】
第５発明に係る空気調和機では、第１支持部に最も近い２つの第２支持部が第１支持部から等距離に位置することにより、第２支持部を第１支持部から極力離して配置することができる。このため、第１支持部と第２支持部との間の絶縁抵抗を増大させることができ、線状電極部と対向電極との間の絶縁性の低下をより抑えることができる。
第６発明に係る空気調和機では、第３支持部の数が第２取付部の数よりも少ない。このため、第２中間支持部材と支持体との間の絶縁抵抗を増大させることができ、線状電極部と対向電極との間の絶縁性の低下をより抑えることができる。
【００１７】
第７発明に係る空気調和機では、第３支持部が突起状の形状を有することにより、支持体と第２中間支持部材との接触面積を低減することができる。これにより、線状電極部と対向電極との間の絶縁性の低下をより抑えることができ、より安定的に放電を生起させることができる。
第８発明に係る空気調和機では、第２中間支持部材が、ボスである第３支持部に螺子止めされる。これにより、線状電極部と対向電極との間の絶縁性の低下をより抑えることができると共に、第２中間支持部材を支持体に強固に固定することができる。
【発明を実施するための最良の形態】
【００１８】
［空気清浄機１の構成］
本発明の一実施形態にかかる空気清浄機１（空気調和機）を図１に示す。この空気清浄機１は、室内の空気を清浄に保ち室内の快適性を向上させるために、室内の床に設置される床置き型空気清浄機である。空気清浄機１は、本体部２とストリーマ放電ユニット６３（図１１参照）とを備える。本体部２は、前後に分割可能とされており、後側に第１本体部３が設けられ、前側に第２本体部４が設けられる。ストリーマ放電ユニット６３は、本体部２の内部であって第１本体部３と第２本体部４との間に設けられる。
【００１９】
＜第１本体部３＞
第１本体部３は、図２に示すように、第１本体ケーシング１１、ファンモータ３０、送風ファン３１（送風装置）、本体側接触子７５、接触子カバー３２、光触媒フィルタ４３（図３参照）、プラズマ触媒フィルタ４４（図３参照）を有する。なお、図２は、光触媒フィルタ４３およびプラズマ触媒フィルタ４４が取り外された状態の第１本体部３の正面図である。
【００２０】
〔第１本体ケーシング１１〕
第１本体ケーシング１１は、ファンモータ３０、送風ファン３１、本体側接触子７５、接触子カバー３２、光触媒フィルタ４３、プラズマ触媒フィルタ４４等を内部に収納しており、図１に示すように、吹出口１２と、上面吸込口１３と、側面吸込口１４とを有している。吹出口１２は、第１本体ケーシング１１の上面部の背面側端部に設けられる。吹出口１２は、清浄化された空気を空気清浄機１から上方に向かって吹き出すための開口である。上面吸込口１３と側面吸込口１４とは、室内の空気を空気清浄機１内に吸い込むための略矩形の開口である。上面吸込口１３は、吹出口１２が設けられる面と同じ第１本体ケーシング１１の上面部の正面側端部に設けられる。上面吸込口１３の横方向の長さは、正面パネル２１の横方向の長さと略同一である。側面吸込口１４は、第１本体ケーシング１１の左右の側面部の正面側にそれぞれ設けられる一対の開口である。
【００２１】
なお、第１本体ケーシング１１は、後述する前面パネル２１および取付枠６０と共に、本体ケーシング６を構成している。本体ケーシング６の内部には、吸込口１３，１４，２２を通って室内から吸い込まれ、空気清浄ユニット４０において清浄化され、吹出口１２から室内へと吹き出される空気が通る空気流路が設けられており、この空気流路を流れる空気流が送風ファン３１によって生成される。なお、送風ファン３１よりも上流側においては、空気流は概ね前方から後方に向けて流れており、以下、「前方」とは「空気流の流れ方向における上流側」を意味し、「後方」とは「空気流の流れ方向における下流側」を意味する。
【００２２】
〔送風ファン３１およびファンモータ３０〕
図２に示す送風ファン３１およびファンモータ３０は、空気経路を流れる空気流を生成する。送風ファン３１としては、遠心ファンを採用している。このため、送風ファン３１は、回転軸方向から空気を吸い込み、回転中心から半径方向外側に向かって空気を吹き出す。ファンモータ３０は、送風ファン３１を回転駆動する。ファンモータ３０としては、インバータ回路により周波数制御されるインバータモータを採用している。
【００２３】
また、第１本体部３は、送風ファン３１の上流側の第１空間と、送風ファン３１の下流側の第２空間とを仕切る第１仕切り板５１を有している。送風ファン３１の上流側の第１空間には、後述する空気清浄ユニット４０（図３参照）が収納される。送風ファン３１の下流側の第２空間には、ファンモータ３０、送風ファン３１および送風ファン３１の側面、すなわち、送風ファンの回転軸を中心とする円周方向に沿って形成されたスクロール５２が収納されている。そして、送風ファン３１から吹き出される空気が、スクロール５２に沿って吹出口１２から室内へ送り出される。
【００２４】
〔光触媒フィルタ４３〕
光触媒フィルタ４３は、図３に示すように、プリーツ状に形成されており、静電フィルタおよびチタンアパタイト担持フィルタを張り合わせて形成されている。なお、この光触媒フィルタ４３は、静電フィルタが前側に、チタンアパタイト担持フィルタが後側に面するように配置される。静電フィルタは、後述するプラズマイオン化部４２を通過する際に帯電させられた塵埃などを吸着する。チタンアパタイト担持フィルタは、静電フィルタを通過した塵埃などを吸着する。このチタンアパタイト担持フィルタは、プレフィルタ４１と同様に、チタンアパタイトを担持させたＰＰの繊維から形成されている。なお、チタンアパタイトとは、カルシウムヒドロキシアパタイトの一部のカルシウム原子がイオン交換などの手法によってチタン原子に置換されたアパタイトである。このチタンアパタイトは、塵埃などに含まれるウィルスやカビ菌、細菌などを特異的に吸着する性質を有する。そして、このチタンアパタイトは、後述するストリーマ放電ユニット６３から供給される活性種により光触媒機能が活性化され、ウィルスやカビ菌、細菌などを不活化または死滅させる。
【００２５】
また、この光触媒フィルタ４３は、プリーツ状に形成されているため、折り目に合わせて容易に折り畳むことが可能である。このため、光触媒フィルタ４３は、折り畳んだ状態で、第１仕切り板５１の下方に形成された交換用フィルタ収納部Ａに収納される（図２参照）。
〔プラズマ触媒フィルタ４４〕
プラズマ触媒フィルタ４４は、送風ファン３１の前方であり、且つ、光触媒フィルタ４３の後方に配置されている。すなわち、プラズマ触媒フィルタ４４は、送風ファン３１と光触媒フィルタ４３との間に配置されている。プラズマ触媒フィルタ４４には、アナターゼ型の二酸化チタンが担持されている。プラズマ触媒フィルタ４４では、光触媒フィルタ４３に吸着されなかった空気中のウィルスや菌などを吸着する。このプラズマ触媒フィルタ４４では、吸着された菌やウィルスなどが活性種により活性化された二酸化チタンによって死滅あるいは不活化される。
【００２６】
〔本体側接触子７５および接触子カバー３２〕
本体側接触子７５は、金属板から形成されており、第１本体部３に収納された電源回路（図示せず）および電源コード（図示せず）を介して電源に接続される。本体側接触子７５は、第１本体ケーシング１１の前面から前方に突出するように設けられており、後述する放電ユニット側接触子７１と接触することによって、ストリーマ放電ユニット６３側に電源からの電流を伝達する。
【００２７】
また、本体側接触子７５の周囲には、樹脂製の接触子カバー３２が設けられている。接触子カバー３２は、第１本体ケーシング１１に取り付けられており、第１本体ケーシング１１の前面から前方に突出した凸状の形状を有している。接触子カバー３２の先端には、開口が設けられており、この開口を通して内部の本体側接触子７５の先端が露出している。
【００２８】
＜第２本体部４＞
第２本体部４は、図１に示すように、第１本体部３の前面に着脱自在に取り付けられる。第２本体部４は、正面パネル２１、プレフィルタ４１（図３参照）、プラズマイオン化部４２（図３参照）を有している。
〔正面パネル２１〕
正面パネル２１は、第２本体部４の前面に設けられている。この正面パネル２１は、正面吸込口２２を有する。正面吸込口２２は、正面パネル２１の略中央部に設けられており、室内の空気を空気清浄機１内に吸い込むための開口である。また、この正面パネル２１の高さは、空気清浄機１の奥行きより長い構成となっている。
【００２９】
〔プレフィルタ４１〕
図３に示すプレフィルタ４１は、正面パネル２１の後方に設けられており、比較的大きなホコリや塵を除去する。プレフィルタ４１は、ポリプロピレン（以下、ＰＰという）製の糸状の樹脂網からなるネットと、ネットを保持するフレームとから構成されている（図示せず）。プレフィルタ４１のネットを構成する繊維には、可視光線型の光触媒とカテキンとが空気側に露出するように担持されている。可視光線型の光触媒は、可視光線により光触媒作用が活性化される酸化チタン等を含んでおり、プレフィルタ４１に付着する塵埃などに含まれるカビ菌や細菌などの菌やウィルスを除去する。なお、カテキンは、ポリフェノールの一種であって、エピカテキン、エピガロカテキン、エピカテキンガレート、エピガロカテキンガレートなどの総称である。このカテキンは、プレフィルタ４１に付着する塵埃などに含まれるカビ菌や細菌などの菌の繁殖を抑制したりウィルスを不活化したりする。
【００３０】
〔プラズマイオン化部４２〕
プラズマイオン化部４２は、プレフィルタ４１の後方に設けられ、第２本体部４の背面に設けられる。プラズマイオン化部４２は、プレフィルタ４１を通過した空気中に浮遊している比較的小さな塵埃を耐電させる。プラズマイオン化部４２は、図４に示すように、主に、一対の対向電極６１、複数のイオン化線６２（線状電極部）、第１中間支持部材２３、第２中間支持部材２４、取付枠６０（支持体）を有している。なお、図４は、プラズマイオン化部４２を後方から見た背面図である。また、図４においては、複数のイオン化線６２のうち一部のイオン化線６２のみに符号を付して他は省略している。
以下、プラズマイオン化部４２の構成に関して、「左右」とは、プラズマイオン化部４２を後方から見た場合における左右方向を意味するものとする。
【００３１】
（対向電極６１）
一対の対向電極６１は、図５に示すように、方形波形状の断面を有する金属板であって、取付枠６０の背面に左右に分かれて取り付けられている。対向電極６１は、イオン化線６２に近接して配置されており、イオン化線６２に高圧電流が流されることにより、イオン化線６２との間にコロナ放電を生起させる。一対の対向電極６１は、実質的に電極として機能する実電極部６１ａとスリット部６１ｂとから成る。スリット部６１ｂには、複数のスリットが設けられており、空気を後方に流す役割を果たす。スリット部６１ｂは、後方に向けて凹んだ複数の凹状部を有しており、複数の凹状部の間に実電極部６１ａが設けられている。
以下、図４に示すように、左側の対向電極を「第１対向電極２５」と呼び、右側の対向電極を「第２対向電極２６」と呼ぶ。
【００３２】
（イオン化線６２）
複数のイオン化線６２は、対向電極６１と共に、プレフィルタ４１を通過した空気中に浮遊している比較的小さな塵埃を耐電させる役割を担う。イオン化線６２は、対向電極６１の前方に配置されており、取付枠６０と対向電極６１との間に位置している。このイオン化線６２に放電電圧が印可されることによって、イオン化線６２と対向電極６１との間にコロナ放電が生じる。イオン化線６２は、上下方向に折り返された１本の線材の直線状の部分であり（図４参照）、実電極部６１ａ間の凹状部に対向して１つずつ配置される。イオン化線６２は、空気経路に交差するように配置されており、空気経路を通過する空気流中に配置される。また、イオン化線６２は、鉛直方向に平行に設けられており、複数のイオン化線６２が水平方向に複数本並んで配置されている。なお、本実施形態では、第１対向電極２５と第２対向電極２６とに対応してそれぞれ４つずつ合計８つのイオン化線６２が設けられている。これらのイオン化線６２は、微小径のタングステン線材などによって形成され、塵埃等を帯電させるための放電電極として用いられる。
【００３３】
（第１中間支持部材２３）
第１中間支持部材２３は、図４に示すように、複数のイオン化線６２の上端を支持する金属製の部材であり、取付枠６０の上部に取り付けられている。第１中間支持部材２３は、第１対向電極２５の上方と第２対向電極２６との上方とに亘って設けられている。第１中間支持部材２３は、図６に示すように、第１板状本体部２３ａと、第１左中間支持部２３ｂと、第１右中間支持部２３ｃとを有する。
【００３４】
第１板状本体部２３ａは、板金から形成されており、取付枠６０の上部において第１対向電極２５の上方と第２対向電極２６との上方とに亘って設けられている。この第１板状本体部２３ａには、第１板状本体部２３ａの中心に対して左右対称に、第１左中間支持部２３ｂと第１右中間支持部２３ｃとが設けられている。
第１左中間支持部２３ｂは、第１対向電極２５の上方に配置されており、１つの第１取付穴部２３ｄと、複数の第１取付部２３ｅとを有している。第１取付穴部２３ｄは、第１板状本体部２３ａと一体的に形成され、第１板状本体部２３ａから下方に突出した舌状の部分である。第１取付穴部２３ｄには、前後方向に貫通する貫通孔２３ｆが設けられている。複数の第１取付部２３ｅは、イオン化線６２が取り付けられる部分であり、第１対向電極２５の凹状部に対応して設けられている。第１左中間支持部２３ｂには、第１取付穴部２３ｄを中心に左右対称に２つずつ、合計４つの第１取付部２３ｅが設けられている。第１取付部２３ｅは、第１板状本体部２３ａに一体的に設けられ第１板状本体部２３ａから突出する細長い板状の部分である。第１取付部２３ｅの先端には、後方に向けて突出する突起が形成されており、イオン化線６２の上端が取り付けられた取付端子６８が係止する。
【００３５】
第１右中間支持部２３ｃは、第２対向電極２６の上方に配置されている。第１右中間支持部２３ｃは、第１左中間支持部２３ｂと同様の構成であり、１つの第１取付穴部２３ｄと、４つの第１取付部２３ｅとを有している。
以上のように、第１中間支持部材２３は、合計２つの第１取付穴部２３ｄと、合計８つの第１取付部２３ｅとを有しており、第１取付穴部２３ｄと第１取付部２３ｅとは第１中間支持部材２３の中間部分を中心にそれぞれ左右対称に配置されている。
【００３６】
（第２中間支持部材２４）
第２中間支持部材２４は、図４に示すように、複数のイオン化線６２の下端を支持する樹脂製の部材であり、取付枠６０の下部に取り付けられている。第２中間支持部材２４は、それぞれ別体に形成された第２左中間支持部２７と第２右中間支持部２８とを有する。
第２左中間支持部２７は、第１対向電極２５の下方に設けられており、第１左中間支持部２３ｂとの間に第１対向電極２５を挟んで配置される。第２左中間支持部２７は、図７に示すように、一体的に形成された１つの第２取付穴部２７ａと複数の折り返し部２８ｂとを有している。第２取付穴部２７ａは、第２左中間支持部２７の中間部分に設けられており、前後方向に貫通する貫通孔２７ｃが設けられている。複数の第２折り返し部２８ｂは、イオン化線６２を構成する線材を上下方向に折り返す部分であり、その両端には第２取付部２７ｄが設けられている。第２取付部２７ｄは、イオン化線６２の下端が取り付けられる部分であり、図８に示すように、第１対向電極２５の凹状部に対応して設けられている。第２左中間支持部２７では、第２取付穴部２７ａを中心に左右対称に２つずつ、合計４つの第２取付部２７ｄが設けられている。第２取付部２７ｄは、第２折り返し部２８ｂの端部において直角に屈曲した部分であり、第２折り返し部２８ｂにおいて折り返される線材が係止する。このため、イオン化線６２の下端は、第２取付部２７ｄにおいて第２左中間支持部２７と接触している。また、第２折り返し部２８ｂの中間部分には放電電圧を伝達するための接触子２９が設けられており、線材の中間部分３３すなわちイオン化線６２の下端同士を繋ぐ部分と接触している。
【００３７】
第２右中間支持部２８は、第２対向電極２６の下方に設けられており、第１右中間支持部２３ｃとの間に第２対向電極２６を挟んで配置される。第２右中間支持部２８は、第２左中間支持部２７と同様の構成であり、１つの第２取付穴部２７ａと、４つの第２取付部２７ｄとを有している。
以上のように、第２中間支持部材２４は、合計２つの第２取付穴部２７ａと、合計８つの第２取付部２７ｄとを有している。
【００３８】
（取付枠６０）
取付枠６０は、樹脂等の絶縁材料から形成されており、図４に示すように、一対の対向電極６１、イオン化線６２およびストリーマ放電ユニット６３が取り付けられる枠状の部材である。取付枠６０は、図９および図１０に示すように、第１取付枠６４、第２取付枠６５、第３取付枠６６、複数の第１支持部６０ａ、複数の第２支持部６０ｂ、複数の第３支持部６０ｃを有する。
【００３９】
第１取付枠６４は、取付枠６０の背面の左右方向における中心部分に設けられており、取付枠６０の上下に亘って設けられている。第１取付枠６４は、前方、両側方、上方および下方が閉じられ後方が開放された箱状の形状を有している。第１取付枠６４には、図１１に示すように、後方からストリーマ放電ユニット６３が取り付けられる。なお、第１取付枠６４の下面の内側には、上方に突出する係止突起６４ａが設けられており、ストリーマ放電ユニット６３の下面に設けられた係止孔６９ｄに係止突起６４ａが係止することによって、ストリーマ放電ユニット６３が嵌め込みによって着脱自在に第１取付枠６４に取り付けられる。また、第１取付枠６４の上部には、ストリーマ放電ユニット６３が取り付けられた状態で、後述するアース板７３と接触する対向電極接続部６７が設けられている（図４参照）。対向電極接続部６７は、第１取付枠６４の左右方向に亘って設けられており、左右方向の中間部分でアース板７３と接触する。対向電極接続部６７は金属板が屈曲されて形成されている。また、対向電極接続部６７の左右側端部は、第１取付枠６４の左右側端部において第１取付枠６４の外側面に沿って折り返されており、第２取付枠６５および第３取付枠６６に取り付けられた対向電極６１と接触する。
【００４０】
第２取付枠６５と第３取付枠６６とは、第１取付枠６４の両側方にそれぞれ設けられており、対向電極６１が取り付けられる部分である。第２取付枠６５と第３取付枠６６とは、大部分が格子状に開口しており、空気流が通過する空気流路の一部を構成している。第１取付枠６４の左側方に位置する第２取付枠６５には第１対向電極２５が取り付けられ、第１取付枠６４の右側方に位置する第３取付枠６６には第２対向電極２６が取り付けられる。なお、第２取付枠６５の上部と下部とには、格子状の開口を挟んで上述した第１左中間支持部２３ｂと第２左中間支持部２７とがそれぞれ設けられる。また、第３取付枠６６の上部と下部とには、格子状の開口を挟んで上述した第１右中間支持部２３ｃと第２右中間支持部２８とがそれぞれ設けられる。
【００４１】
複数の第１支持部６０ａは、第１中間支持部材２３を支持する部分であり、取付枠６０の上部に設けられている。取付枠６０には、第２取付枠６５と第３取付枠６６との上方にそれぞれ１つずつ、合計２つの第１支持部６０ａが設けられている。このため、取付枠６０に設けられる第１左中間支持部２３ｂとの接触箇所の数は、第１左中間支持部２３ｂに設けられる直線状のイオン化線６２の上端との接触箇所の数よりも少なくなっている。また、取付枠６０に設けられる第１右中間支持部２３ｃとの接触箇所の数は、第１右中間支持部２３ｃに設けられる直線状のイオン化線６２の上端との接触箇所の数よりも少なくなっている。第１支持部６０ａは、取付枠６０に一体的に形成された樹脂製の部分であり、取付枠６０の背面から後方に突出する突起状の形状を有する。なお、この第１支持部６０ａは、螺子穴が設けられた円筒形状のボスである。第１支持部６０ａは、上述した第１中間支持部材２３の第１取付穴部２３ｄに対応して設けられており、第１中間支持部材２３は、第１支持部６０ａに螺子止めされる。
【００４２】
複数の第２支持部６０ｂは、対向電極６１を支持する部分であり、第２取付枠６５と第３取付枠６６との内側面に沿って配置されている。第２取付枠６５には、左側の内側面に４つ、右側の内側面に４つの合計８つの第２支持部６０ｂが設けられている。第２取付枠６５に設けられる第２支持部６０ｂは、第２取付枠６５の背面から後方に突出する突起状の形状を有しており、第１対向電極２５を支持する。なお、第２取付枠６５の左側の内側面に設けられている第２支持部６０ｂと、右側の内側面に設けられている第２支持部６０ｂとは、左右方向に対向して設けられており、第２取付枠６５の上方に設けられている第１支持部６０ａを通る鉛直方向に平行な直線に対して対称に配置されている。このため、第２取付枠６５に設けられる複数の第２支持部６０ｂのうち、最も上方に配置され第１支持部６０ａに最も近い２つの第２支持部６０ｂは、第１支持部６０ａから等距離に位置している。なお、第３取付枠６６に設けられる第２支持部６０ｂについても第２取付枠６５に設けられる複数の第２支持部６０ｂと同様の構成である。
【００４３】
複数の第３支持部６０ｃは、第２中間支持部材２４を支持する部分であり、取付枠６０の下部に設けられている。ここでは、第２取付枠６５と第３取付枠６６との下方にそれぞれ１つずつ、合計２つの第３支持部６０ｃが設けられている。このため、取付枠６０に設けられる第２左中間支持部２７との接触箇所の数は、第２左中間支持部２７に設けられる直線状のイオン化線６２の下端との接触箇所の数よりも少なくなっている。また、取付枠６０に設けられる第２右中間支持部２８との接触箇所の数は、第２右中間支持部２８に設けられる直線状のイオン化線６２の下端との接触箇所の数よりも少なくなっている。第３支持部６０ｃは、取付枠６０に一体的に形成された樹脂製の部分であり、取付枠６０の背面から後方に突出する突起状の形状を有する。なお、この第３支持部６０ｃは、螺子穴が設けられた円筒形状のボスである。第３支持部６０ｃは、上述した第２左中間支持部２７の第２取付穴部２７ａと、第２右中間支持部２８の第２取付穴部２７ａに対応して設けられており、第２左中間支持部２７と第２右中間支持部２８とは、第３支持部６０ｃにそれぞれ螺子止めされる。
【００４４】
＜ストリーマ放電ユニット６３＞
図１１に示すストリーマ放電ユニット６３は、第１本体部３と第２本体部４との間に配置され、空気流路中に設けられる。ストリーマ放電ユニット６３は、第２本体部４の背面に、すなわち、プラズマイオン化部４２の背面に着脱自在に取り付けられる。ストリーマ放電ユニット６３は、対向電極６１と共にストリーマ放電を生起させることにより、光触媒フィルタ４３に供給する活性種を生成し、空気流中に放出する。ストリーマ放電ユニット６３は、上述した第１取付枠６４に着脱自在に取り付けられる。ストリーマ放電ユニット６３は、図１２に示すように、放電ユニットケーシング６９と、放電部８３と、放電ユニット側接触子７１と、接触子取付部材７２とを有する。
【００４５】
〔放電ユニットケーシング６９〕
放電ユニットケーシング６９には、放電部８３と接触子取付部材７２とが取り付けられる。放電ユニットケーシング６９は、樹脂から形成された箱状の部材であり、第１取付枠６４に合致する外形を有している。放電ユニットケーシング６９は、前面全体が開口しており、放電部８３の後方、両側方、上方、下方を覆っている。以下、放電ユニットケーシング６９の前面の開口を「第２開口６９ａ」と呼ぶ。第２開口６９ａは、第２本体部４の背面に面しており、放電ユニットケーシング６９が取付枠６０に取り付けられることによって、第２開口６９ａが取付枠６０の第１取付枠６４によって閉じられる。より詳細には、放電ユニットケーシング６９は、第１取付枠６４の後方から第１取付枠６４の内部に挿入され、第１取付枠６４に着脱自在に取り付けられる。放電ユニットケーシング６９は、第１取付枠６４に取り付けられることによって、第１取付枠６４と共に放電部８３の周囲を覆い、放電部８３を空気流から隔離する。
【００４６】
放電ユニットケーシング６９の背面の下端部近傍には、本体側接触子７５（図２参照）が挿入される第１開口６９ｂが設けられている。第１開口６９ｂは、放電ユニット側接触子７１に対向して設けられた比較的小さな孔であり、第１本体部３の接触子カバー３２の外形に合致する形状を有している。第１開口６９ｂは、第１本体部３に面しており、第１本体部３と第２本体部４との間にストリーマ放電ユニット６３が取り付けられることによって、接触子カバー３２が第１開口６９ｂに挿入され第１開口６９ｂを閉じる。
また、放電ユニットケーシング６９の背面の長手方向すなわち鉛直方向における中間部分には、複数の微少な孔７７が設けられている。
【００４７】
〔放電部８３〕
放電部８３は、ストリーマ放電を生起させる主要部であり、ストリーマ放電電極７０と、アース板７３と、絶縁板７４とを有する。
【００４８】
（ストリーマ放電電極７０）
ストリーマ放電電極７０は、金属板から形成されており、放電電圧が印可されることによってアース板７３との間にストリーマ放電を生じさせる。ストリーマ放電電極７０は、絶縁板７４の長手方向における中間部分に接続されており、絶縁板７４を介してアース板７３に取り付けられている。
【００４９】
（アース板７３）
アース板７３は、金属板から形成されており、ストリーマ放電電極７０よりも大きな略長方形の外形を有する。アース板７３は、ストリーマ放電電極７０に対して平行に配置されており、ストリーマ放電電極７０に近接して配置されている。アース板７３は、ストリーマ放電電極７０と放電ユニットケーシング６９の背面との間に位置している。アース板７３は、放電ユニットケーシング６９に固定されており、金属製のアース接触子８１が取り付けられる。このアース接触子８１は放電ユニットケーシング６９が第１取付枠６４に取り付けられた状態で、対向電極接続部６７（図４参照）と接触する。また、アース板７３のうちストリーマ放電電極７０に対向する部分近傍には、微少な孔７３ａが設けられている。このアース板７３の孔７３ａは、放電ユニットケーシング６９の複数の微少な孔７７と対向するように配置されており、ストリーマ放電電極７０から発生した活性種が、これらの孔７３ａ，７７を通ってストリーマ放電ユニット６３の外部に放出されるように構成されている。
【００５０】
（絶縁板７４）
絶縁板７４は、ストリーマ放電電極７０とアース板７３とが取り付けられる部材であり、ストリーマ放電電極７０とアース板７３とを微少な距離を隔てて保持するスペーサーとして機能する。絶縁板７４は、絶縁性の高い樹脂から形成されており、これにより、ストリーマ放電電極７０とアース板７３との間の絶縁が確保される。絶縁板７４は、両端がアース板７３側に折り返された形状を有しており、折り返された両端においてアース板７３と接続されている。
なお、絶縁板７４は、縁部が鈍角に屈曲した略Ｌ字型の断面形状を有している。
【００５１】
〔放電ユニット側接触子７１〕
放電ユニット側接触子７１は、接触子取付部材７２に支持されており、接触子取付部材７２の長手方向に沿って設けられている。放電ユニット側接触子７１の下端は、本体側接触子７５（図２参照）と接触する接点となっている。放電ユニット側接触子７１の上端は、ストリーマ放電電極７０の下端と接触している。放電ユニット側接触子７１は、本体側接触子７５からストリーマ放電電極７０に放電電圧を伝達する。
【００５２】
〔接触子取付部材７２〕
接触子取付部材７２は、放電ユニット側接触子７１が取り付けられる部材であり、鉛直方向に長い棒状部７２ａと、棒状部７２ａに垂直に交差する仕切板部７２ｂとを有している。
棒状部７２ａは、一端にストリーマ放電電極７０が差し込まれる切り欠き７２ｃが設けられており、他端に放電ユニット側接触子７１の接点が設けられている。
【００５３】
仕切板部７２ｂは、棒状部７２ａの一端と他端との間に設けられており、放電ユニットケーシング６９の内部において、ストリーマ放電電極７０、アース板７３および絶縁板７４が配置される空間と、放電ユニット側接触子７１の接点が配置される空間との間を仕切っている。これにより、放電ユニット側接触子７１の接点は、ストリーマ放電電極７０、アース板７３および絶縁板７４が配置された空間から仕切られた空間に配置される。なお、仕切板部７２ｂは、放電ユニットケーシング６９の内側面に設けられた溝６９ｃに差し込まれて固定される。
【００５４】
［空気清浄ユニットによる空気清浄作用］
この空気清浄機１は、図３に示すように、プレフィルタ４１、プラズマイオン化部４２、ストリーマ放電ユニット６３、光触媒フィルタ４３およびプラズマ触媒フィルタ４４からなる空気清浄ユニット４０（空気清浄部）を備えており、各吸込口（上面吸込口１３、側面吸込口１４、正面吸込口２２）から吸い込まれた室内の空気中に含まれる異物を除去して空気流路を流れる空気を清浄化する。以下、空気清浄ユニット４０による空気清浄作用について説明する。
【００５５】
上面吸込口１３、側面吸込口１４、正面吸込口２２から吸い込まれた室内の空気は、まずプレフィルタ４１を通る。この際、比較的大きなホコリや塵が空気中から除去される。また、プレフィルタ４１に含まれる光触媒とカテキンとの作用により、プレフィルタ４１に付着した塵埃などに含まれるカビ菌や細菌などの菌やウィルスの繁殖が抑制され、ウィルスが不活化される。
【００５６】
プレフィルタを通過した空気流は、イオン化線６２と実電極部６１ａとの間を通過する。イオン化線６２と実電極部６１ａとの間に高電圧が印加されると、イオン化線６２と実電極部６１ａとの間に放電が生じる。この結果、イオン化線６２と実電極部６１ａとの間を通過する空気流に含まれる塵埃等がプラス電荷に帯電する。
イオン化線６２と実電極部６１ａとの間を通過した空気流は、ストリーマ放電ユニット６３の後方を流れる。ストリーマ放電ユニット６３においては、ストリーマ放電電極７０と対向電極６１との間に直流、交流、またはパルスの放電電圧が印加され、ストリーマ放電電極７０と対向電極６１との間にストリーマ放電が生じる。ストリーマ放電が生じると、放電場に低温プラズマが生成され、活性種が放電ユニットケーシング６９に設けられた複数の微少な孔７７を通って、空気流中に放出される。放出された活性種は、空気流に乗って、後方の光触媒フィルタ４３に供給される。なお、これらの活性種は、エネルギーレベルが非常に高く、光触媒フィルタ４３に到達する前であっても、空気に含まれるアンモニア類や、アルデヒド類、窒素酸化物など小さな有機分子を分解・消臭する能力を有する。
【００５７】
次に、空気流が光触媒フィルタ４３を通過すると、静電フィルタによって、プラズマイオン化部４２を通過する際に帯電させられた塵埃などが吸着される。また、チタンアパタイト担持フィルタによって、静電フィルタを通過した塵埃などが吸着される。この際、チタンアパタイトは、ストリーマ放電ユニット６３から供給された活性種により光触媒機能が活性化されており、ウィルスやカビ菌、細菌などを不活化または死滅させる。なお、イオン化線６２と実電極部６１ａとを通過した際に、塵埃に含まれるウィルスや菌なども帯電されているため、チタンアパタイトへのウィルスや菌の吸着効率が高まっている。
【００５８】
光触媒フィルタ４３を通過した空気流は、プラズマ触媒フィルタ４４を通過する。プラズマ触媒フィルタ４４では、光触媒フィルタ４３に吸着されなかった空気中のウィルスや菌などが吸着され、菌やウィルスなどが活性種により活性化された二酸化チタンによって死滅あるいは不活化される。
プラズマ触媒フィルタ４４を通過した空気流は、吹出口１２から室内へと吹き出される。
【００５９】
［空気清浄ユニットの特徴］
（１）
この空気調和機１では、取付枠６０に２つの第１支持部６０ａが設けられ、第１中間支持部材２３に８つの第１取付部２３ｅが設けられており、第１支持部６０ａの数が、第１取付部２３ｅの数よりも少ない。そして、第１中間支持部材２３は２つの第１支持部６０ａのみによって支持されており、他の部分は取付枠６０に非接触となっている。このため、取付枠６０と第１中間支持部材２３との接触箇所が比較的少なくなっている。これにより、取付枠６０と第１中間支持部材２３との間の絶縁抵抗が増大し、イオン化線６２と対向電極６１との間の絶縁性を増大させることができる。よって、この空気調和機１では、イオン化線６２と対向電極６１との間の絶縁性の低下を防止することができ、イオン化線６２と対向電極６１との間に放電を安定的に生起させることができる。
【００６０】
また、第１支持部６０ａは、螺子穴が設けられたボスであり、第１中間支持部材２３は、第１支持部６０ａに螺子止めされる。このため、第１支持部６０ａと第１中間支持部材２３との接触面積が小さくなっており、第１支持部６０ａと第１中間支持部材２３との間の絶縁抵抗が増大している。これにより、イオン化線６２と対向電極６１との間の絶縁性の低下をより効果的に防止することができる。
【００６１】
さらに、第３支持部６０ｃについても第１支持部６０ａと同様に、第３支持部６０ｃの数が第２取付部２７ｄの数よりも少ない。そして、第３支持部６０ｃは、螺子穴が設けられたボスであり、第２中間支持部材２４が第３支持部６０ｃに螺子止めされる。このため、取付枠６０と第２中間支持部材２４との間の絶縁抵抗も増大しており、イオン化線６２と対向電極６１との間の絶縁性の低下をより効果的に防止することができる。
【００６２】
（２）
この空気調和機１では、対向電極６１を支持する第２支持部６０ｂが突起状の形状であるため、対向電極６１との接触面積が小さくなっている。このため、イオン化線６２と対向電極６１との間の絶縁性をより増大させることができ、安定的に放電を生じさせることができる。
【００６３】
また、複数の第２支持部６０ｂのうち最も上方に配置され第１支持部６０ａに最も近い２つの第２支持部６０ｂは、第１支持部６０ａから等距離に位置している。このため、第２支持部６０ｂを第１支持部６０ａから極力離して配置することができ、一方の第２支持部６０ｂのみが第１支持部６０ａに近接して配置されることが回避されている。このため、イオン化線６２と対向電極６１との間の絶縁性をより増大させることができ、より安定的に放電を生起させることができる。
【００６４】
［他の実施形態］
（Ａ）
上記の実施形態では、コロナ放電によって空気流に含まれる塵埃等を帯電させているが、放電の種類はこれに限定されるものではなく、塵埃等の微粒を帯電させることのできる他の放電が利用されてもよい。
【００６５】
（Ｂ）
上記の実施形態では、本発明を空気清浄機に適用した例を挙げて説明した。しかし、本発明はこれに限定されるものではない。例えば、室内の冷暖房を行う空気調和機に本発明が適用されてもよい。
（Ｃ）
上記の実施形態では、１本の線材が上下方向に一度だけ折り返されることによって、２つの直線状のイオン化線６２が形成されているが、１本の線材によって１つのイオン化線６２が構成されてもよく、１本の線材が複数回折り返されることによって２以上のイオン化線６２が形成されてもよい。
【００６６】
（Ｄ）
第１支持部６０ａ、第２支持部６０ｂ、第３支持部６０ｃ、第１取付部２３ｅ、第２取付部２７ｄの数は、上記の実施形態に限られるものではなく、より多くの又はより少ない数の第１支持部６０ａ、第２支持部６０ｂ、第３支持部６０ｃ、第１取付部２３ｅ、第２取付部２７ｄが設けられてもよい。この場合も、第１中間支持部材２３と取付枠６０との接触箇所、第２中間支持部材２４と取付枠６０との接触箇所、対向電極６１と取付枠６０との接触箇所の数および接触面積を極力少なくすることによって、イオン化線６２と対向電極６１との間の絶縁性を向上させることができる。
【産業上の利用可能性】
【００６７】
本発明は、安定的に放電を生起させることができる効果を有し、空気調和機として有用である。
【図面の簡単な説明】
【００６８】
【図１】空気清浄機の外観図。
【図２】第１本体部の正面図。
【図３】空気清浄ユニットの構成を示す概略図。
【図４】プラズマイオン化部の背面図。
【図５】対向電極およびイオン化線を示す図。
【図６】第１中間支持部材の拡大図。
【図７】第２中間支持部材の拡大図。
【図８】第２中間支持部材とイオン化線との取付を示す図。
【図９】取付枠の外観斜視図。
【図１０】取付枠の背面図。
【図１１】プラズマイオン化部とストリーマ放電ユニッの外観斜視図。
【図１２】ストリーマ放電ユニットの斜視分解図。
【符号の説明】
【００６９】
６      本体ケーシング
２３    第１中間支持部材
２３ｅ  第１取付部
２４    第２中間支持部材
２７ｄ  第２取付部
３１    送風ファン（送風装置）
４０    空気清浄ユニット（空気清浄部）
６０    取付枠（支持体）
６０ａ  第１支持部
６０ｂ  第２支持部
６０ｃ  第３支持部
６１    対向電極
６２    イオン化線（線状電極部）
【図１】
2007061668.tif 000003
【図２】
2007061668.tif 000004
【図３】
2007061668.tif 000005
【図４】
2007061668.tif 000006
【図５】
2007061668.tif 000007
【図６】
2007061668.tif 000008
【図７】
2007061668.tif 000009
【図８】
2007061668.tif 000010
【図９】
2007061668.tif 000011
【図１０】
2007061668.tif 000012
【図１１】
2007061668.tif 000013
【図１２】
2007061668.tif 000014